(57)【要約】【課題】子供等の悪戯による操作がされても音量が変化せず、ユーザの煩わしさが解消するオーディオ機器を提供する。【解決手段】操作部９およびリモコンにおいて音量調整操作がされると、マイコン８は、その操作に基づき制御信号をボリュームコントローラ６に送出し、ボリュームコントローラ６は、入力される音声信号の信号レベルを制御信号に基づき減衰させるが、リモコンにおいて所定の操作がされると、マイコン８は、操作部９およびリモコンにおいて音量調整操作がされても、制御信号をボリュームコントローラ６に送出しない。【選択図】図１
2007234146.tif 000002
【特許請求の範囲】
【請求項１】
第一の操作手段における操作に基づき制御信号を出力する制御手段と、入力される音声信号の信号レベルを前記制御信号に基づき調整し出力する調整手段と、を備えたオーディオ機器において、
前記第一の操作手段と同一のまたは異なる第二の操作手段において所定の操作がされると、前記制御手段は、前記第一の操作手段において操作がされても制御信号を出力しない状態となり、
該状態において、前記第二の操作手段において前記所定の操作がされると、前記制御手段は、前記第一の操作手段における操作に基づき制御信号を出力する状態となる、ことを特徴とするオーディオ機器。
【請求項２】
第一の操作手段における操作に基づき制御信号を出力する制御手段と、入力される音声信号の信号レベルを前記制御信号に基づき調整し出力する調整手段と、を備えたオーディオ機器において、
前記第一の操作手段と同一のまたは異なる第二の操作手段において所定の操作がされると、前記制御手段は、前記第一の操作手段において操作がされても制御信号を出力しない状態となる、ことを特徴とするオーディオ機器。
【発明の詳細な説明】
【技術分野】
【０００１】
本発明は、オーディオ機器に関する。
【背景技術】
【０００２】
オーディオ機器における音量調整はリモコンやツマミ等による操作により行われる。ユーザがオーディオ機器により音声を鑑賞中に、子供等がリモコンやツマミを悪戯で操作し、音声の音量が変化させられ、ユーザにとって煩わしいという問題があった。
【０００３】
ここで、例えば特許文献１には、ある音量のときにリモコンと前面コントロールパネルの同時押しがされると、音量調整操作がされてもその音量以上は音量が上がらなくなるようなテレビが開示されている。このようなテレビによれば、子供等が悪戯で音量調整操作をしても、音量が上がり過ぎることはなくなる。
【特許文献１】特開平６−２６１２６６号公報
【発明の開示】
【発明が解決しようとする課題】
【０００４】
しかし、上記特許文献１のテレビでは、子供等が悪戯で音量を下げる操作をした場合、音量は下がってしまい、ユーザの煩わしさは解消されないという問題がある。
【０００５】
本発明は上記問題点を鑑み、子供等の悪戯による操作がされても音量が変化せず、ユーザの煩わしさが解消するオーディオ機器を提供することを目的とする。
【課題を解決するための手段】
【０００６】
上記目的を達成するために本発明のオーディオ機器は、第一の操作手段における操作に基づき制御信号を出力する制御手段と、入力される音声信号の信号レベルを前記制御信号に基づき調整し出力する調整手段と、を備えたオーディオ機器において、前記第一の操作手段と同一のまたは異なる第二の操作手段において所定の操作がされると、前記制御手段は、前記第一の操作手段において操作がされても制御信号を出力しない状態となることを特徴としている。
【０００７】
このような構成によれば、第二の操作手段において所定の操作がされれば、子供等が悪戯で第一の操作手段において操作をしても音声の音量は変化しないので、ユーザの煩わしさが解消される。
【０００８】
また、本発明のオーディオ機器は、前記状態において、前記第二の操作手段において前記所定の操作がされると、前記制御手段は、前記第一の操作手段における操作に基づき制御信号を出力する状態となることを特徴としている。
【０００９】
このような構成によれば、上記のような第一の操作手段において操作をしても音声の音量が変化しない状態から、第一の操作手段の操作により音量調整ができる状態へ再び戻すことができる。
【発明の効果】
【００１０】
本発明のオーディオ機器によれば、子供等の悪戯による操作がされても音量が変化せず、ユーザの煩わしさが解消する。
【発明を実施するための最良の形態】
【００１１】
以下、本発明の実施形態について説明する。図１は、本発明に係るホームシアターモデルの構成を示すブロック図である。本発明は、ホームシアターモデルのうちレシーバ２に特徴を有する。ただし、レシーバ２はチューナ機能を有するが、これに関する構成は省略している。なお、本発明は、ホームシアターモデルにおけるレシーバに限らず、あらゆるオーディオ機器に適用可能である。
【００１２】
ＤＶＤプレーヤ１が有するオーディオ出力端子とレシーバ２が有するオーディオ入力端子３とはケーブルで接続される。オーディオ入力端子３は、５．１ｃｈのマルチチャンネル音声に対応しており、左前チャンネル用（図１中Ｌ）、右前チャンネル用（図１中Ｒ）、左後チャンネル用（図１中ＳＬ）、右後チャンネル用（図１中ＳＲ）、センターチャンネル用（図１中Ｃ）、サブウーハーチャンネル用（図１中ＳＷ）の各端子を有する。このうち、左前チャンネル用（図１中Ｌ）、右前チャンネル用（図１中Ｒ）の各端子はイコライザ４に接続され、イコライザ４はオーディオセレクタ５に接続される。その他の左後チャンネル用（図１中ＳＬ）、右後チャンネル用（図１中ＳＲ）、センターチャンネル用（図１中Ｃ）、サブウーハーチャンネル用（図１中ＳＷ）の各端子はオーディオセレクタ５に接続される。
【００１３】
ＤＶＤプレーヤ１で再生されたマルチチャンネル音声信号はオーディオ入力端子３に入力され、マルチチャンネル音声信号のうち左前チャンネル音声信号および右前チャンネル音声信号はイコライザ４により音質を調整され、オーディオセレクタ５を介してボリュームコントローラ６に入力される。また、マルチチャンネル音声信号のうち左後チャンネル音声信号、右後チャンネル音声信号、センターチャンネル音声信号、サブウーハーチャンネル音声信号は、オーディオセレクタ５を介してボリュームコントローラ６に入力される。なお、ＤＶＤプレーヤ１で再生された音声信号がマルチチャンネル音声信号を２チャンネルにダウンミックスしたダウンミックス音声信号である場合は、ダウンミックス音声信号は入力端子３が有する左前チャンネル用（図１中Ｌ）、右前チャンネル用（図１中Ｒ）の各端子に入力され、イコライザ４により音質を調整され、オーディオセレクタ５を介してボリュームコントローラ６に入力される。
【００１４】
ボリュームコントローラ６は、後述するように入力される音声信号の信号レベルをマイコン８からの制御信号に応じた減衰率で減衰させ、出力端子７に出力する。出力端子７は、アンプ内蔵のスピーカ１１にケーブルで接続され、ボリュームコントローラ６から出力端子７に出力された音声信号はスピーカ１１に送出され、スピーカ１１からマルチチャンネル音声またはダウンミックス音声が発せられる。
【００１５】
操作部９は音量調整用ツマミ等を有し、操作に対応した操作信号をマイコン８に送出する。リモコン受信部１０は、不図示のリモコンからの赤外線信号を受信および復調し、操作に対応したコード信号をマイコン８に送出する。
【００１６】
マイコン８は、操作部９が有する音量調整用ツマミが回転され操作部９から操作信号を受信するか、不図示のリモコンが有する音量増加用ボタンまたは音量減少用ボタンが押されリモコン受信部１０からコード信号を受信すると、その操作信号またはコード信号に基づき制御信号をボリュームコントローラ６に送出する。すると、ボリュームコントローラ６は、オーディオセレクタ５から入力される音声信号の信号レベルをマイコン８からの制御信号に応じた減衰率で減衰させ、出力端子７を介してスピーカ１１に出力する。これにより、音量調整用ツマミおよびリモコンによる操作によってスピーカ１１から発せられる音声の音量が調整される。
【００１７】
ここで、不図示のリモコンが有する音量増加用ボタンおよび音量減少用ボタンが同時に押されると、リモコン受信部１０はその操作に対応するコード信号をマイコン８に送出する。そして、マイコン８がそのコード信号を受信するとチャイルドロックモードに入ったことを認識する。以降、マイコン８は、音量調整用ツマミが回転されたり、リモコンの音量増加用ボタンおよび音量減少用ボタンが押されても、制御信号をボリュームコントローラ６に送出しない。これにより、子供等が悪戯で音量調整用ツマミやリモコンの音量増加用ボタンおよび音量減少用ボタンを操作しても、スピーカから発せられる音声の音量が変化することがなく、ユーザの煩わしさがなくなる。
【００１８】
ここで、リモコンが有する音量増加用ボタンおよび音量減少用ボタンが再び同時に押されると、リモコン受信部１０はその操作に対応するコード信号をマイコン８に送出する。そして、マイコン８がそのコード信号を受信するとチャイルドロックモードが解除されたことを認識する。以降、マイコン８は、音量調整用ツマミが回転され操作部９から操作信号を受信するか、リモコンが有する音量増加用ボタンまたは音量減少用ボタンが押されリモコン受信部１０からコード信号を受信すると、その操作信号またはコード信号に基づき制御信号をボリュームコントローラ６に送出し、ボリュームコントローラ６は、入力される音声信号の信号レベルを制御信号に応じた減衰率で減衰させ、出力端子７を介してスピーカ１１に出力する。これにより、音量調整用ツマミおよびリモコンによる操作によってスピーカ１１から発せられる音声の音量を再び調整することができる。
【図面の簡単な説明】
【００１９】
【図１】は、本発明に係るホームシアターモデルのブロック図である。
【符号の説明】
【００２０】
１    ＤＶＤプレーヤ
２    レシーバ
３    オーディオ入力端子
４    イコライザ
５    オーディオセレクタ
６    ボリュームコントローラ
７    出力端子
８    マイコン
９    操作部
１０    リモコン受信部
１１    スピーカ
【図１】
2007234146.tif 000003